(57)【要約】【課題】映像信号によって生じるノイズを含まない電源を、表示領域に均一に供給することで高品位な画像を表示する表示装置を提供する。【解決手段】複数の画素で構成される表示領域と表示領域の外側に形成された配線領域を備えた表示装置であって、表示領域の縁に沿って並ぶように該並びの端の第１ドライバ、その内側の第２ドライバ、映像信号を第１及び２ドライバに供給する第１信号配線、第１及び２ドライバによって変換された映像信号を複数の画素に供給する第２信号配線、ドライバの間に形成され第１ドライバを経由して供給された電源を画素及び第２ドライバに供給する第１電源配線、第２ドライバの内側に形成され第２ドライバを経由した電源を画素に供給する第２電源配線を有し、第１及び２ドライバを経由して画素に供給される電源の経路と、第１及び２ドライバによって変換される前後の映像信号が流れる経路は、第１及び２ドライバの内部を通る。【選択図】図２
2017215381.tif 000002
【特許請求の範囲】
【請求項１】
複数の画素によって構成された表示領域と、該表示領域の外側に形成された配線領域と、を備えた表示装置であって、
前記配線領域において、前記表示領域の縁に沿ってそれぞれ並ぶように、該並びの端に配置された第１ドライバ及び該第１ドライバの内側に配置された第２ドライバと、
前記配線領域において、外部から前記表示装置に入力される映像信号を前記第１ドライバ及び前記第２ドライバに供給する第１信号配線と、
前記第１ドライバ及び前記第２ドライバによって変換された前記映像信号を前記複数の画素に供給する第２信号配線と、
前記第１ドライバと前記第２ドライバの間に形成され、前記第１ドライバを経由して供給された電源を、前記複数の画素及び前記第２ドライバに供給する第１電源配線と、
前記第２ドライバよりさらに内側に形成され、前記第２ドライバを経由して供給された電源を、前記複数の画素に供給する第２電源配線と、を有し、
前記第１ドライバ及び第２ドライバを経由して前記複数の画素に供給される電源の経路と、前記第１ドライバ及び第２ドライバによって変換される前後の映像信号が流れる経路は、前記第１ドライバ及び第２ドライバの内部を通る、
ことを特徴とする表示装置。
【請求項２】
前記配線領域に前記表示領域を囲うように形成され、前記複数の画素に電源を供給する第３電源配線をさらに有することを特徴とする請求項１に記載の表示装置。
【請求項３】
前記第１ドライバ及び第２ドライバは、前記電源を供給する経路を複数有し、
前記第２ドライバにおいて使用される前記経路の数は、前記第１ドライバにおいて使用される前記経路の数よりも少ないことを特徴とする請求項１または２に記載の表示装置。
【請求項４】
前記第１ドライバ及び第２ドライバは、前記電源を供給する経路上に、電圧降下を生じさせる内部抵抗を有する、ことを特徴とする請求項１乃至３のいずれかに記載の表示装置。
【請求項５】
前記第１電源配線から前記複数の画素に供給される電源の前記第１ドライバ内部で生じる前記電圧降下は、前記第１電源配線から前記第２ドライバに供給される電源の前記第１ドライバ内部で生じる前記電圧降下よりも大きい、ことを特徴とする請求項１乃至４のいずれかに記載の表示装置。
【請求項６】
前記第１ドライバ及び第２ドライバは、それぞれ前記電源を供給する経路の数に対応する数の接続端子を有することを特徴とする請求項１乃至５のいずれかに記載の表示装置。
【発明の詳細な説明】
【技術分野】
【０００１】
本発明は、表示装置に関する。
【背景技術】
【０００２】
近年、有機ＥＬ表示装置や液晶表示装置等の薄型表示装置は、その薄さ、軽さ、低消費電力などの特徴から従来表示装置の主流を占めてきたＣＲＴに代わり得るものとして目覚ましく発展している。薄型表示装置は、薄い基板上に画像表示を行うための画素を形成することから、表示ムラが生じやすく、高品位な表示装置の開発が進められている。
【０００３】
特に、表示領域に形成された画素に電力を供給する必要がある薄型表示装置においては、供給する電力が画素毎にばらついた場合、表示ムラが生じる。そのため、当該薄型表示装置は、表示品位を向上させるため、各画素に均一な電力を供給する必要がある。
【０００４】
そこで、例えば、特許文献１は、カソード電極本体部から延長して形成された延長部と、カソードバイアス入力端子との接続面積を大きくすることにより、接続による抵抗増加を軽減し、抵抗値のバラツキによる表示品位が低下を防止する点を開示している。
【先行技術文献】
【特許文献】
【０００５】
【特許文献１】特開２００１−１０９３９８号公報
【発明の概要】
【発明が解決しようとする課題】
【０００６】
特許文献１のように、電源を供給する配線と、ドライバに対して映像信号を供給する配線と、がガラス基板上で重なり合う構成とした場合、供給される電源は、映像信号によって生じるノイズを含んでしまう。そして、当該ノイズは、表示品位を低下させてしまう。
【０００７】
また、複数のドライバを配置する構成とした場合、電源を供給する配線と信号を供給する配線を重なり合う箇所を形成することなく、画素に均一な電源を供給することは困難である。
【０００８】
本発明は上記課題に鑑みてなされたものであって、その目的は、映像信号によって生じるノイズを含まない電源を、表示領域に均一に供給することで高品位な画像を表示する表示装置を提供することにある。
【課題を解決するための手段】
【０００９】
本発明の一態様は、複数の画素によって構成された表示領域と、該表示領域の外側に形成された配線領域と、を備えた表示装置であって、前記配線領域において、前記表示領域の縁に沿ってそれぞれ並ぶように、該並びの端に配置された第１ドライバ及び該第１ドライバの内側に配置された第２ドライバと、前記配線領域において、外部から前記表示装置に入力される映像信号を前記第１ドライバ及び前記第２ドライバに供給する第１信号配線と、前記第１ドライバ及び前記第２ドライバによって変換された前記映像信号を前記複数の画素に供給する第２信号配線と、前記第１ドライバと前記第２ドライバの間に形成され、前記第１ドライバを経由して供給された電源を、前記複数の画素及び前記第２ドライバに供給する第１電源配線と、前記第２ドライバよりさらに内側に形成され、前記第２ドライバを経由して供給された電源を、前記複数の画素に供給する第２電源配線と、を有し、前記第１ドライバ及び第２ドライバを経由して前記複数の画素に供給される電源の経路と、前記第１及び第２ドライバによって変換される前後の映像信号が流れる経路は、前記第１及び第２ドライバの内部を通る、ことを特徴としたものである。
【図面の簡単な説明】
【００１０】
【図１】本発明の実施形態に係る表示装置を概略的に示す図である。
【図２】表示パネルを概略的に示す図である。
【図３】第１の実施形態におけるドライバについて説明するための図である。
【図４】第２の実施形態におけるドライバについて説明するための図である。
【発明を実施するための形態】
【００１１】
以下に、本発明の各実施の形態について、図面を参照しつつ説明する。図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して詳細な説明を適宜省略することがある。
【００１２】
図１は、本発明の実施形態に係る表示装置１００の概略を示す図である。図に示すように、表示装置１００は、上フレーム１１０及び下フレーム１２０に挟まれるように固定された表示パネル２００から構成されている。
【００１３】
[第１の実施形態]
続いて、第１の実施形態における表示パネル２００について説明する。図２は、画像が表示される側から見た表示パネル２００の概略を示す図である。図２に示すように、表示パネル２００は、基板２０２とＦＰＣ(Flexible printed circuit)２０４を有する。基板２０２は、例えば、ガラス基板であるが、樹脂で形成された可撓性を有する基板であってもよい。
【００１４】
ＦＰＣ２０４は、可撓性の基材に電気回路が形成された可撓性基板であって、表示パネル２００の外部から入力された映像信号や電源を、基板２０２に形成された配線に供給する。
【００１５】
また、表示パネル２００は、基板２０２上に、表示領域２０６と、配線領域と、を備える。具体的には、表示領域２０６は、複数の画素によって構成される。表示領域２０６は、各画素が後述する各電源配線から供給された電源及び表示装置１００の外部から供給された映像信号に基づいて発光することにより、画像を表示する。
【００１６】
配線領域は、該表示領域２０６の外側に形成され、複数のドライバと、第１信号配線２０８と、第２信号配線２１０と、第１電源配線２１２と、第２電源配線２１４と、第３電源配線２１６と、が配置される。本実施形態においては、第１ドライバ２１８及び第２ドライバ２２０を含む４個のドライバが配置される。
【００１７】
複数のドライバは、配線領域において、表示領域２０６の縁に沿ってそれぞれ並ぶように配置される。具体的には、例えば、図２に示すように、４個のドライバが、配線領域において、表示領域２０６の縁にそって並べて配置される。そして、第１ドライバ２１８は、４個のドライバの並びの端に配置され、第２ドライバ２２０は、第１ドライバ２１８の内側に隣接して配置される。第１ドライバ２１８及び第２ドライバ２２０の詳細については後述する。
【００１８】
第１信号配線２０８は、配線領域において、外部から表示装置１００に入力される映像信号を各ドライバに供給する。具体的には、例えば、第１信号配線２０８は、配線領域において、ＦＰＣ２０４が貼り合わされる領域と、第１ドライバ２１８及び第２ドライバ２２０を含む各ドライバを電気的に接続するように形成される。そして、第１信号配線２０８は、ＦＰＣ２０４を経由して外部から表示装置１００に入力されたデジタル信号である映像信号を各ドライバに供給する。
【００１９】
第２信号配線２１０は、各ドライバによって変換された映像信号を複数の画素に供給する。具体的には、例えば、第２信号配線２１０は、配線領域において、第１ドライバ２１８及び第２ドライバ２２０を含む各ドライバと、表示領域２０６に設けられた画素に映像信号を供給する為の配線と、を電気的に接続するように形成される。そして、第２信号配線２１０は、各ドライバによって、デジタル信号からアナログ信号に変換された映像信号を画素に供給する。
【００２０】
第１電源配線２１２は、配線領域において、第１ドライバ２１８と第２ドライバ２２０の間に形成され、第１ドライバ２１８を経由して供給された電源を、複数の画素及び第２ドライバ２２０に供給する。具体的には、例えば、第１電源配線２１２は、配線領域において、第１ドライバ２１８と第２ドライバ２２０を電気的に接続するように形成される。また、第１電源配線２１２は、第１ドライバ２１８と、表示領域２０６に設けられた画素に電源を供給する為の配線と、を電気的に接続するように形成される。そして、第１電源配線２１２は、第３電源配線２１６から第１ドライバ２１８を経由して供給された電源を、表示領域２０６に形成された複数の画素及び第２ドライバ２２０に供給する。
【００２１】
第２電源配線２１４は、第２ドライバ２２０よりさらに内側に形成され、第２ドライバ２２０を経由して供給された電源を、複数の画素に供給する。具体的には、例えば、第２電源配線２１４は、配線領域の第２ドライバ２２０よりさらに内側の領域に、第２ドライバ２２０と、表示領域２０６に設けられた画素に電源を供給する為の配線と、を電気的に接続するように形成される。そして、第２電源配線２１４は、第１ドライバ２１８及び第２ドライバ２２０を経由して供給された電源を、表示領域２０６に形成された複数の画素に供給する。
【００２２】
第３電源配線２１６は、配線領域に表示領域２０６を囲うように形成され、複数の画素に電源を供給する。具体的には、例えば、第３電源配線２１６は、ＦＰＣ２０４が貼り合わされる箇所を起点として、表示領域２０６を囲うように形成される。
【００２３】
そして、第３電源配線２１６は、表示領域２０６の第２信号配線２１０と電気的に接続された領域を除いて、表示領域２０６と電気的に接続される。具体的には、ＦＰＣ２０４が接続される領域を表示パネル２００の下側とした場合に、第３電源配線２１６は、表示領域の上側、左側及び右側と電気的に接続される。
【００２４】
また、第３電源配線２１６は、第１ドライバ２１８とも電気的に接続される。具体的には、第３電源配線２１６は、表示パネルの左下部において、第１ドライバ２１８と電気的に接続される。
【００２５】
当該構成によって、第３電源配線２１６は、ＦＰＣ２０４を経由して外部から供給された電力を、表示領域２０６及び第１ドライバ２１８に供給する。すなわち、図２に示すように、第３電源配線２１６は、表示領域２０６の上側、左側、及び、右側から電力を供給する。また、第３電源配線２１６は、表示領域２０６の左側から、第１ドライバ２１８に電源を供給する。
【００２６】
ここで、第１ドライバ２１８及び第２ドライバ２２０を経由して複数の画素に供給される電源の経路と、第１ドライバ２１８及び第２ドライバ２２０によって変換される前後の映像信号が流れる経路は、第１ドライバ２１８及び第２ドライバ２２０の内部を通るように形成される。そして、第３電源配線２１６は、第１信号配線２０８及び第２信号配線２１０と表示パネル２００上では重ならないように形成される。
【００２７】
具体的には、第３電源配線２１６は、ＦＰＣ２０４が接続される領域の左右の端部において、ＦＰＣ２０４と電気的に接続される。一方、第１信号配線２０８は、ＦＰＣ２０４が接続される領域の中央部において、ＦＰＣ２０４と電気的に接続される。また、第３電源配線２１６は、第１信号配線２０８及び第２信号配線２１０よりも外側に形成されることにより、第３電源配線２１６は、第１信号配線２０８及び第２信号配線２１０と表示パネル２００上では重ならないように形成される。
【００２８】
さらに、第１電源配線２１２及び第２電源配線２１４が各ドライバの間に形成されることによって、第１電源配線２１２及び第２電源配線２１４は、第１信号配線２０８及び第２信号配線２１０と表示パネル２００上では重ならないように形成される。
【００２９】
当該構成によって、第１電源配線２１２及び第２電源配線２１４を経由して表示領域２０６に供給される電源に、映像信号によってノイズが含まれる事態を防止できる。
【００３０】
続いて、第１の実施形態における第１ドライバ２１８及び第２ドライバ２２０について説明する。図３は、図２における４個のドライバのうち、左側に配置された２個のドライバ（第１ドライバ２１８及び第２ドライバ２２０）が配置された領域の近傍を拡大した図である。図３に示すように、第１ドライバ２１８及び第２ドライバ２２０は、それぞれ、電源を供給する経路と、接続端子３０２と、内部抵抗３０４と、を有する。
【００３１】
なお、第１ドライバ２１８及び第２ドライバ２２０は、後述するように同じ個数の内部抵抗３０４及び接続端子３０２を有する。従って、接続する前の各ドライバはいずれも同じ構成であることから、第１ドライバ２１８と第２ドライバ２２０の位置を入れ替えて接続してもよい。
【００３２】
また、第１ドライバ２１８及び第２ドライバ２２０は、第１信号配線２０８から供給された映像信号を、アナログ信号からデジタル信号に変換する機能を有するが、当該機能は従来技術と同様である為、図３においては省略している。
【００３３】
電源を供給する経路は、各ドライバに複数形成される。例えば、第１の実施形態においては、第１ドライバ２１８及び第２ドライバ２２０は、それぞれ３本の電源を供給する経路を有する。
【００３４】
ここで、第２ドライバ２２０において使用される経路の数は、第１ドライバ２１８において使用される経路の数よりも少ない。具体的には、第１ドライバ２１８に形成された電源を供給する経路は３本使用されるのに対して、第２ドライバ２２０に形成された電源を供給する経路は２本使用される。
【００３５】
より具体的には、例えば、第１ドライバ２１８に形成された３本の電源を供給する経路のうち、１本の電源を供給する経路は、第３電源配線２１６から供給された電源を、第１電源配線２１２を経由して表示領域２０６に供給するために使用される。他の２本の電源を供給する経路は、第３電源配線２１６から供給された電源を、第１電源配線２１２を経由して第２ドライバ２２０に供給するために使用される。
【００３６】
一方、第２ドライバ２２０に形成された３本の電源を供給する経路のうち、２本の電源を供給する経路は、第１電源配線２１２から供給された電源を、第２電源配線２１４を経由して表示領域２０６に供給するために使用される。他の１本の電源を供給する経路は使用されない。従って、第２ドライバ２２０において使用される経路の数は、第１ドライバ２１８において使用される経路の数よりも少なくなる。
【００３７】
接続端子３０２は、ドライバの内部に形成された配線と、基板２０２上に形成された配線を接続する端子である。具体的には、例えば、接続端子３０２は、ＩＣ（Integrated Circuit）に形成されるバンプ等であって、基板２０２上に形成された第１電源配線２１２や第２電源配線２１４と、第１ドライバ２１８又は第２ドライバ２２０内部に形成された電源を供給する経路と、が電気的に接続するための端子である。
【００３８】
ここで、第１ドライバ２１８及び第２ドライバ２２０は、それぞれ電源を供給する経路の数に対応する数の接続端子３０２を有する。具体的には、例えば、第１ドライバ２１８及び第２ドライバ２２０は、複数の電源を供給する経路の起点と終点に対応する数の接続端子３０２を有する。
【００３９】
すなわち、本実施形態のように、第１ドライバ２１８及び第２ドライバ２２０が３本の電源を供給する経路を有する場合、第１ドライバ２１８及び第２ドライバ２２０は、それぞれ６個の接続端子３０２を有する。
【００４０】
さらに、第１ドライバ２１８及び第２ドライバ２２０に形成された複数の接続端子３０２のうち、使用される電源を供給する経路の数に対応する数の接続端子３０２が使用される。具体的には、本実施形態において、第１ドライバ２１８の接続端子３０２は、６個の接続端子３０２のうち、全ての接続端子３０２が使用される。一方、第２ドライバ２２０の接続端子３０２は、６個の接続端子３０２のうち、４個の接続端子３０２が使用される。
【００４１】
内部抵抗３０４は、電源を供給する経路上に形成され、供給される電源に電圧降下を生じさせる。具体的には、例えば、第１ドライバ２１８の内部抵抗３０４は、第３電源配線２１６から供給された電源に対して、電圧降下を生じさせる。また、第２ドライバ２２０の内部抵抗３０４は、第１電源配線２１２から供給された電源に対して、電圧降下を生じさせる。
【００４２】
ここで、第１電源配線２１２から複数の画素に供給される電源の第１ドライバ２１８内部で生じる電圧降下は、第１電源配線２１２から第２ドライバ２２０に供給される電源の第１ドライバ２１８内部で生じる電圧降下よりも大きいことが望ましい。
【００４３】
具体的には、例えば、第１ドライバ２１８及び第２ドライバ２２０に形成される各内部抵抗３０４が、いずれもＲという大きさの抵抗値で形成され、第１ドライバ２１８から第１電源配線２１２を経由して表示領域２０６に供給される電流の大きさ、及び、第２ドライバ２２０から第２電源配線２１４を経由して表示領域２０６に供給される電流の大きさがいずれもＩである場合について説明する。
【００４４】
この場合、第１ドライバ２１８から第１電源配線２１２を経由して、表示領域２０６に電源を供給する経路（以下、第１経路３０６）の数は１本であることから、第１経路３０６における第１ドライバ２１８内部で生じる電圧降下の大きさは、ＩＲである。
【００４５】
一方、第１ドライバ２１８から第１電源配線２１２、第２ドライバ２２０及び第２電源配線２１４を経由して表示領域２０６に電源を供給する経路（以下、第２経路３０８）の数は２本であることから、１本あたりの経路を流れる電流の大きさはＩ／２である。すなわち、第２経路３０８における第１ドライバ２１８内部で生じる電圧降下の大きさは、ＩＲ／２である。
【００４６】
従って、第１経路３０６における第１ドライバ２１８内部で生じる電圧降下の大きさＩＲは、第２経路３０８における第１ドライバ２１８内部で生じる電圧降下の大きさＩＲ／２よりも大きくなる。
【００４７】
なお、第１電源配線２１２から第２ドライバ２２０に供給される電源は、さらに、第２ドライバ２２０に形成された内部抵抗３０４を経由して、第２電源配線２１４に供給される。そのため、第２経路３０８を通って、表示領域２０６に供給される電源は、第１ドライバ２１８内部においてＩＲ／２の電圧降下が生じた上で、さらに、第２ドライバ２２０内部においてＩＲ／２の電圧降下が生じる。
【００４８】
すなわち、第１経路３０６及び第２経路３０８を通って表示領域２０６に供給される電源の電圧は、いずれも第３電源配線２１６の電源電圧よりもＩＲの大きさだけ低下した値となる。従って、表示領域２０６に供給する電源の電圧のばらつきを小さくすることによって、表示ムラの発生を防止することができる。
【００４９】
なお、上記においては、第２電源配線２１４と第３電源配線２１６の電圧の差と、第１電源配線２１２と第３電源配線２１６の差異を略等しくする場合について説明したが、これに限られない。
【００５０】
例えば、図２において、第３電源配線２１６が有する抵抗が無視できない場合には、第３電源配線２１６の第１ドライバ２１８近傍２２２における電圧と、第１電源配線２１２が形成された領域と表示領域２０６を挟んで向かい合う領域２２４における第３電源配線２１６の電圧は異なる。当該電圧の差と、第１ドライバ２１８を経由して複数の画素に供給される電源の第１ドライバ２１８内部で生じる電圧降下の大きさが略等しくなるように、第１ドライバ２１８の内部抵抗３０４の大きさを決定してもよい。
【００５１】
同様に、第３電源配線２１６の第１ドライバ２１８近傍２２２における電圧と、第２電源配線２１４が形成された領域と表示領域２０６を挟んで向かい合う領域２２６における第３電源配線２１６の電圧は異なる。当該電圧の差と、第１ドライバ２１８及び第２ドライバ２２０を経由して複数の画素に供給される電源の第１ドライバ２１８及び第２ドライバ２２０内部で生じる電圧降下の大きさが略等しくなるように、第１ドライバ２１８及び第２ドライバ２２０の内部抵抗３０４の大きさを決定してもよい。
【００５２】
当該構成によれば、表示領域２０６に供給される電圧の横方向における差を、表示パネル２００の上側と下側で略等しくすることができる。従って、第３電源配線２１６が有する抵抗が無視できない場合であっても、表示パネル２００の縦方向における表示ムラを防止することができる。
【００５３】
また、第１ドライバ２１８及び第２ドライバ２２０の接続端子３０２部における抵抗の大きさが無視できない大きさである場合には、当該抵抗の大きさを考慮して、第１ドライバ２１８及び第２ドライバ２２０の内部抵抗３０４の大きさを決定してもよい。
【００５４】
具体的には、例えば、第１ドライバ２１８が基板２０２に圧着された後において、第１ドライバ２１８の内部に形成された配線と、基板２０２に形成された第１電源配線２１２と、の間には接続抵抗が生じる。当該抵抗を無視できる場合と比較して、第１ドライバ２１８の内部抵抗３０４の大きさは、当該接続抵抗の大きさだけ小さくなるように決定してもよい。
【００５５】
さらに、本実施形態においては、各ドライバが内部抵抗を有する場合について説明したが、各ドライバは内部抵抗を有しない構成であってもよい。当該構成であっても、第１電源配線２１２及び第２電源配線２１４を経由して表示領域２０６に供給される電源に、映像信号によってノイズが含まれる事態を防止することができる。そして、ドライバ内部で生じる電圧降下が小さくなるため、外部装置から供給された電源の電圧と、表示領域に下側から供給する電源の電圧と、の差をできるだけ小さくすることが出来る。
【００５６】
[第２の実施形態]
続いて、本発明の第２の実施形態について説明する。第１の実施形態においては、ドライバは、表示パネル２００の中央部より右側及び左側にそれぞれ２個ずつ配置されている。第２の実施形態においては、ドライバは、表示パネル２００の中央部より右側及び左側にそれぞれ３個ずつ配置される点が第１の実施形態と異なる。ドライバの配置される個数以外は、第１の実施形態と同様である為、説明を省略する。
【００５７】
図４は、第１の実施形態における図３に相当する図であって、６個のドライバのうち、左側に配置された３個のドライバ（左から順に、第１ドライバ２１８、第２ドライバ２２０、及び第３ドライバ４０２とする）が配置された領域の近傍を拡大した図である。図４に示すように、第１ドライバ２１８、第２ドライバ２２０及び第３ドライバ４０２は、それぞれ、電源を供給する経路と、接続端子３０２と、内部抵抗３０４と、を有する。
【００５８】
第２の実施形態においては、第１ドライバ２１８、第２ドライバ２２０及び第３ドライバ４０２は、それぞれ６本の電源を供給する経路及び１２個の接続端子３０２を有する。
【００５９】
そして、第１ドライバ２１８に形成された電源を供給する経路は６本使用され、接続端子３０２は１２個使用される。また、第２ドライバ２２０に形成された電源を供給する経路は５本使用され、接続端子３０２は１０個使用される。そして、第３ドライバ４０２に形成された電源を供給する経路は３本使用され、接続端子３０２は６個使用される。
【００６０】
具体的には、第１ドライバ２１８に形成された６本の電源を供給する経路のうち、１本の電源を供給する経路は、第３電源配線２１６から供給された電源を、第１電源配線２１２を経由して表示領域２０６に供給するために使用される。他の５本の電源を供給する経路は、第３電源配線２１６から供給された電源を、第１電源配線２１２を経由して第２ドライバ２２０に供給するために使用される。
【００６１】
また、第２ドライバ２２０に形成された６本の電源を供給する経路のうち、２本の電源を供給する経路は、第１電源配線２１２から供給された電源を、第２電源配線２１４を経由して表示領域２０６に供給するために使用される。３本の電源を供給する経路は、第１電源配線２１２から供給された電源を、第２電源配線２１４を経由して第３ドライバ４０２に供給するために使用される。他の１本の電源を供給する経路は使用されない。
【００６２】
さらに、第３ドライバ４０２に形成された６本の電源を供給する経路のうち、３本の電源を供給する経路は、第２電源配線２１４から供給された電源を、表示領域２０６に供給するために使用される。他の３本の電源を供給する経路は使用されない。
【００６３】
上記のように、表示パネル２００の内側に配置されたドライバほど使用される電源を供給する経路及び接続端子３０２の数は少なくなる。
【００６４】
本実施形態においても、第１電源配線２１２から複数の画素に供給される電源の第１ドライバ２１８内部で生じる電圧降下は、第１電源配線２１２から第２ドライバ２２０を経由して表示領域２０６に供給される電源の第１ドライバ２１８内部で生じる電圧降下よりも大きいことが望ましい。
【００６５】
また、第１電源配線２１２から第２ドライバ２２０を経由して表示領域２０６に供給される電源の第１ドライバ２１８内部で生じる電圧降下は、第１電源配線２１２から第２ドライバ２２０を経由して第３ドライバ４０２に供給される電源の第１ドライバ２１８内部で生じる電圧降下よりも大きいことが望ましい。
【００６６】
具体的には、第１の実施形態と同様に、第１ドライバ２１８、第２ドライバ２２０及び第３ドライバ４０２に形成される各内部抵抗３０４が、いずれもＲという大きさの抵抗値で形成され、第１ドライバ２１８から第１電源配線２１２を経由して表示領域２０６に供給される電流の大きさ、第２ドライバ２２０から第２電源配線２１４を経由して表示領域２０６に供給される電流の大きさ、及び第３ドライバ４０２から表示領域２０６に供給される電流の大きさがいずれもＩである場合について説明する。
【００６７】
この場合、第１ドライバ２１８から第１電源配線２１２を経由して、表示領域２０６に電源を供給する経路（第１経路３０６）の数は１本であることから、第１経路３０６における第１ドライバ２１８内部で生じる電圧降下の大きさは、ＩＲである。
【００６８】
また、第１ドライバ２１８から第１電源配線２１２及び第２ドライバ２２０を経由して、表示領域２０６に電源を供給する経路（第２経路３０８）の数は２本であることから、１本あたりの経路を流れる電流の大きさはＩ／２である。従って、第２経路３０８における第１ドライバ２１８内部で生じる電圧降下の大きさは、ＩＲ／２である。
【００６９】
さらに、第１ドライバ２１８から第１電源配線２１２、第２ドライバ２２０、第２電源配線２１４及び第３ドライバ４０２を経由して、表示領域２０６に電源を供給する経路（以下、第３経路４０４）の数は３本であることから、１本あたりの経路を流れる電流の大きさはＩ／３である。従って、第３経路４０４における第１ドライバ２１８内部で生じる電圧降下の大きさは、ＩＲ／３である。
【００７０】
また、第１の実施形態と同様に、第２経路３０８を通って表示領域２０６に供給される電源は、第１ドライバ２１８内部においてＩＲ／２の電圧降下が生じた上で、さらに、第２ドライバ２２０内部においてＩＲ／２の電圧降下が生じる。
【００７１】
さらに、第３経路４０４を通って、表示領域２０６に供給される電源は、第１ドライバ２１８内部においてＩＲ／３の電圧降下が生じた上で、さらに、第２ドライバ２２０及び第３ドライバ４０２内部においてそれぞれＩＲ／３の電圧降下が生じる。
【００７２】
すなわち、第１経路３０６、第２経路３０８及び第３経路４０４を通って表示領域２０６に供給される電源の電圧は、いずれも第３電源配線２１６の電源電圧よりもＩＲの大きさだけ低下した値となる。従って、表示領域２０６に供給する電源の電圧のばらつきを小さくすることによって、表示ムラの発生を防止することができる。
【００７３】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００７４】
１００  表示装置、１１０  上フレーム、１２０  下フレーム、２００  表示パネル、２０２  基板、２０４  ＦＰＣ、２０６  表示領域、２０８  第１信号配線、２１０  第２信号配線、２１２  第１電源配線、２１４  第２電源配線、２１６  第３電源配線、２１８  第１ドライバ、２２０  第２ドライバ、２２２  第３電源配線の第１ドライバ近傍、２２４  第１電源配線と向かい合う領域、２２６  第２電源配線と向かい合う領域、３０２  接続端子、３０４  内部抵抗、３０６  第１経路、３０８  第２経路、４０２  第３ドライバ、４０４  第３経路。
【図１】
2017215381.tif 000003
【図２】
2017215381.tif 000004
【図３】
2017215381.tif 000005
【図４】
2017215381.tif 000006